(57)【要約】【課題】オペレータに燃費向上のための運転や操作を促すことが可能な建設機械を提供する。【解決手段】燃費に関わる改善を促す操作及び／又は燃費に関わる改善を促す作業工法等の情報をオペレータに知らせる情報提供手段３０を備える。運転室１１に設けられたモニタ画面２６上のモニタ表示にて情報の提供を行う。作業機レバー１９、２０が中立位置になっているときに、エンジン４０が所定時間以上にアイドル回転数であれば、アイドリング時の燃費に関わる改善を促す操作等の情報の提供を行う。【選択図】図１
2005098073.tif 000002
【特許請求の範囲】
【請求項１】
燃費に関わる改善を促す操作及び／又は燃費に関わる改善を促す作業工法等の情報をオペレータに知らせる情報提供手段（３０）を備えたことを特徴とする建設機械。
【請求項２】
上記情報の提供を、運転室（１１）に設けられたモニター画面（２６）上のモニター表示にて行うことを特徴とする請求項１の建設機械。
【請求項３】
音声発生機を備え、上記情報の提供を音声発生機による音声表示にて行うことを特徴とする請求項１又は請求項２の建設機械。
【請求項４】
機械外部から上記情報を送信してこの情報を上記オペレータに知らせることを特徴とする請求項１〜請求項３のいずれかの建設機械。
【請求項５】
エンジン起動時に上記情報の提供を行うことを特徴とする請求項１〜請求項４のいずれかの建設機械。
【請求項６】
上記情報提供手段（３０）は、情報の提供を行うオン状態と、情報の提供を行わないオフ状態との切換えが可能であることを特徴とする請求項１〜請求項５のいずれかの建設機械。
【請求項７】
作業機（４）等の動作をロックする機能を有するロックレバー（２１）を備え、このロックレバー（２１）がロック側へ操作されたことを検知して、アイドリング時の燃費に関わる改善を促す操作等の情報の提供を行うことを特徴とする請求項１〜請求項６のいずれかの建設機械。
【請求項８】
作業機レバー（１９）（２０）が中立位置になっていることを検知すると共に、エンジン（４０）がアイドル回転数になっていることを検知して、このアイドル回転数が所定時間以上となったときに、アイドリング時の燃費に関わる改善を促す操作等の情報の提供を行うことを特徴とする請求項１〜請求項６のいずれかの建設機械。
【発明の詳細な説明】
【技術分野】
【０００１】
この発明は、油圧ショベル等の建設機械に関するものである。
【背景技術】
【０００２】
油圧ショベル等の建設機械では、走行したり各種の作業をしたりする際には省エネ化を図るのが好ましい。そこで、従来には、実燃費（実際の燃料消費率）が目標燃費（目標とする燃料消費率）に到達しないときに省エネ運転に切換えるものがある（例えば、特許文献１参照）。
【０００３】
すなわち、上記特許文献１に記載の建設機械は、実際に消費した燃料を算出し、これから単位時間あたりの燃料消費量としての実燃費を算出する。この実燃費と、予め設定されている目標燃費とを比較して、実燃費がこの目標燃費を下回っていたときに、省エネ運転に切換えるものである。
【特許文献１】特開２００２−２８５８９０号公報（第３−４頁、第１図）
【発明の開示】
【発明が解決しようとする課題】
【０００４】
このように、建設機械において従来から省エネ運転を行うことが可能である。しかしながら、上記特許文献１に記載の建設機械では、燃費が悪くなった後に省エネ運転に移行するものであって、実際に燃費が悪くならないと省エネ運転に移行しない。すなわち、実際に使用して燃費が悪くなったときに、自動的に省エネ運転に移行することになる。ところで、建設機械においては、例えば、エンジン回転数を抑えた走行や作業を行ったり、無駄なアイドリングを停止したりすることによって、燃費を向上させることができる。すなわち、オペレータの運転や操作の工夫によって、燃費向上を達成できる。しかしながら、走行時や作業時においては、オペレータは燃費向上等の必要性を失念している傾向にあって、燃費向上のための運転を心がけているとはいい難い。すなわち、燃費向上のための操作等は、別途取扱説明書やオペレータマニュアル等に記載されているのみであるので、実際に運転室に入って作業を行う状態では、オペレータは燃費向上を念頭においた運転や操作を行っているとはいい難いのが現状である。
【０００５】
この発明は、上記従来の欠点を解決するためになされたものであって、その目的は、オペレータに燃費向上のための運転や操作を促すことが可能な建設機械を提供することにある。
【課題を解決するための手段】
【０００６】
そこで請求項１の建設機械は、燃費に関わる改善を促す操作及び／又は燃費に関わる改善を促す作業工法等の情報をオペレータに知らせる情報提供手段３０を備えたことを特徴としている。
【０００７】
上記請求項１の建設機械では、情報提供手段３０にて、燃費に関わる改善を促す操作等の情報をオペレータに知らせることができる。
【０００８】
請求項２の建設機械は、運転室１１に設けられたモニタ画面２６上のモニタ表示にて行うことを特徴としている。
【０００９】
上記請求項２の建設機械では、運転室１１内のオペレータは、モニタ画面２６上のモニタ表示にて、この運転室１１内で燃費に関わる改善を促す操作等の情報を知ることができる。すなわち、オペレータは視覚にてこの情報を知ることができる。
【００１０】
請求項３の建設機械は、上記情報の提供を音声発生機による音声表示にて行うことを特徴としている。
【００１１】
上記請求項３の建設機械では、オペレータは、音声発生機による音声表示にて燃費に関わる改善を促す操作等の情報を知ることができる。すなわち、モニタ画面２６等を見ることなく、前方窓２３からの前方確認状態等のまま、聴覚にて上記各情報を把握することができる。
【００１２】
請求項４の建設機械は、機械外部から上記情報を送信してこの情報を上記オペレータに知らせることを特徴としている。
【００１３】
上記請求項４の建設機械では、機械外部、つまり運転室１１以外にいるオペレータ（機械管理者等）から燃費に関わる改善を促す操作等の情報を運転室１１内にいるオペレータを知らせることができる。この際、外部からの情報の送信であるので、この情報を運転室１１側に送信するタイミングを任意に設定できると共に、その送信する情報の内容の変更も任意に行うことができる。
【００１４】
請求項５の建設機械は、エンジン起動時に上記情報の提供を行うことを特徴としている。
【００１５】
上記請求項５の建設機械では、エンジン起動させることによって、上記情報がモニタ表示や音声表示等にて、オペレータに知らせることができる。
【００１６】
請求項６の建設機械は、上記情報提供手段３０は、情報の提供を行うオン状態と、情報の提供を行わないオフ状態との切換えが可能であることを特徴としている。
【００１７】
上記請求項６の建設機械では、情報提供手段３０は、情報の提供を行うオン状態と、情報の提供を行わないオフ状態との切換えが可能であるので、オペレータが燃費向上を考慮しないときや燃費に関わる改善を促す操作をオペレータが念頭においているとき等で上記情報を得る必要がないときには、オフ状態とすることができる。また、情報の提供を必要とするときには、オン状態とすることができる。
【００１８】
請求項７の建設機械は、作業機４等の動作をロックする機能を有するロックレバー２１を備え、このロックレバー２１がロック側へ操作されたことを検知して、アイドリング時の燃費に関わる改善を促す操作等の情報の提供を行うことを特徴としている。
【００１９】
上記請求項７の建設機械では、ロックレバー２１がロック側へ操作されたときには、アイドリング時の燃費に関わる改善を促す操作等の情報の提供が行えるので、ロック状態でのアイドリング時に、例えば、エンジン４０のアイドル回転数を下げるように指示したり、アイドリングを停止するように指示したりすることができる。
【００２０】
請求項８の建設機械は、作業機レバー１９、２０が中立位置になっていることを検知すると共に、エンジン４０がアイドル回転数になっていることを検知して、このアイドル回転数が所定時間以上となったときに、アイドリング時の燃費に関わる改善を促す操作等の情報の提供を行うことをすることを特徴としている。
【００２１】
上記請求項８の建設機械では、作業機レバー１９、２０が中立位置（ニュトラル）になっているときに、アイドリング時間が所定時間以上となれば、燃費に関わる改善を促す操作等の情報の提供を受けることができる。このため、オペレータは燃費向上を達成する操作を行うようにすることができ、長時間にわたる燃料の無駄使いを防止することができる。
【発明の効果】
【００２２】
請求項１の建設機械によれば、オペレータは、燃費に関わる改善を促す操作及び／又は燃費に関わる改善を促す作業工法等の情報を知ることができるので、走行時や作業時（例えば、作業機を使用した掘削時等）において、燃費向上を図る運転や操作を行うように努力でき、省エネ化の達成に寄与することができる。しかも、燃費向上のための検出手段や制御手段等を設ける必要がないので、コストの低減を達成できる。
【００２３】
請求項２の建設機械によれば、運転室内のオペレータは、視覚にて燃費に関わる改善を促す操作等の情報を知ることができ、燃費向上を図る運転や操作を行うように努力できる。
【００２４】
請求項３の建設機械によれば、モニタ画面等を見ることなく、前方窓からの前方確認状態等のまま、聴覚にて上記各情報を把握することができ、運転操作に集中でき、安定した操作等を行うことができる。
【００２５】
請求項４の建設機械によれば、運転室以外にいるオペレータ（機械管理者等）から、運転室内のオペレータに燃費に関わる改善を促す操作等を行うように促すことができる。すなわち、運転室内のオペレータがこのような操作（燃費向上のための操作）を行うことを念頭においた作業を行っていない場合に、このオペレータに燃費向上を図ることが可能な操作を行うべきであると気付かせることができ、省エネ化を確実に達成することができる。また、情報を運転室側に送信するタイミングを任意に設定できると共に、送信する情報の内容の変更も任意に行うことができるので、運転室内のオペレータが行っている作業または今から行おうとしている作業等に合致した情報をこのオペレータに知らせることができ、オペレータとしては燃費向上を図り易い。
【００２６】
請求項５の建設機械によれば、エンジン起動させることによって、上記情報がモニタ表示や音声表示等にて、オペレータに知らせることができるので、オペレータは、走行時や作業時に確実に上記情報を把握することができる。
【００２７】
請求項６の建設機械によれば、燃費向上を考慮しないときや燃費に関わる改善を促す操作等をオペレータが念頭においているときで上記情報を得る必要がないときには、情報提供手段をオフ状態とすることができるので、このように情報がモニタ表示や音声表示にて行われず、運転操作や作業機の操作に集中できる。また、燃費に関わる改善を促す操作を行いたい場合には、情報提供手段をオン状態とすれば、燃費に関わる改善を促すための情報をモニタ表示や音声表示等にて表示することができ、オペレータは、燃費向上を図る運転や操作を行うように努力することになる。
【００２８】
請求項７の建設機械によれば、作業機等のロック状態でのアイドリング時において、例えば、エンジンのアイドル回転数を下げるように指示したり、アイドリングを停止するように指示したりすることができる。このため、このようなアイドリング時に、燃費を節約する操作を行って省エネ化を達成できる。
【００２９】
請求項８の建設機械によれば、作業機レバーが中立位置（ニュトラル）になっているときに、燃料の無駄使いとなる長時間のアイドリングを防止して、省エネ化を達成できる。
【発明を実施するための最良の形態】
【００３０】
次に、この発明の建設機械の具体的な実施の形態について、図面を参照しつつ詳細に説明する。図２はこの建設機械Ｓの簡略図である。この建設機械Ｓは油圧ショベルであって、下部走行体１と、下部走行体１の上部に旋回機構２を介して旋回可能に装着される上部旋回体３とを備え、上部旋回体３に作業機４が連設されている。この作業機４は、その基部が上部旋回体３に揺動可能に連結されているブーム５と、ブーム５の先端に揺動可能に連結されているアーム６と、アーム６の先端に揺動可能に連結されているバケット７とを備える。また、上部旋回体３は運転室１１等を備える。
【００３１】
上部旋回体３の運転室１１は、図１に示すように、その中央部には運転席１３が設けられ、この運転席１３の前方に走行操作手段１４が設けられている。この走行操作手段１４は、走行レバー１５、１６と、各走行レバー１５、１６と一体に揺動する走行ペダル１７、１８とを備える。この場合、走行レバー１５、１６を前方に押すと下部走行体１が前進し、走行レバー１５、１６を後方に引くと下部走行体１が後進するようになっている。なお、走行操作手段１４の近傍には、アタッチメント用ペダル８が設けられ、さらに一方の側方窓９側に計器盤１０が設けられている。
【００３２】
また、運転席１３の側部側に作業機レバー１９、２０がそれぞれ設置されている。上記作業機レバー１９、２０はブーム５の上下動、アーム６及びバケット７の回動、及び上部旋回体３自体の旋回操作等を行うものである。さらに、一方の作業機レバー１９の近傍にはロックレバー２１が設けられている。ここで、ロックレバー２１とは、作業機４の操作、上部旋回体３の旋回、及び下部走行体１の走行等の機能を停止させるためのものである。すなわち、ロックレバー２１の引き上げ操作を行うことによって、作業機４等の動きをロック（規制）することができ、この状態では、作業機レバー１９、２０等を操作しても、作業機４等が動作しないようにすることができる。
【００３３】
また、この建設機械Ｓの運転室１１には、エンジン状態等を表示するモニタ装置２２が設けられている。ここで、エンジン状態とは、例えば、エンジン冷却水の温度、エンジンオイル温度、燃料残量等である。なお、このモニタ装置２２は、運転室１１の前方窓２３と一方の側方窓９とを仕切る縦枠２５の下部に配設され、外装ケース２４の前面にモニタ画面２６と操作用押しボタン２７・・が設けられている。なお、このモニタ画面２６は、例えば、液晶パネルにて構成される。
【００３４】
ところで、このモニタ装置２２は、そのモニタ画面２６に、上記エンジン状態以外に、燃費に関わる改善を促す操作及び／又は燃費に関わる改善を促す作業工法等の情報をモニタ表示するものであって、情報提供手段３０を構成する。ここで、燃費に関わる改善を促す操作とは、例えば、作業機を走行させる際にエンジン回転数を抑えた運転を行う操作等であり、燃費に関わる改善を促す作業工法とは、例えば、ダンプトラックＴ等に近い場所に建設機械Ｓを位置させてこのダンプトラックＴに建設機械Ｓにて土砂等を積載するようにする工法等である。
【００３５】
エンジン回転数（ｒｐｍ）と燃費（燃料消費率）（リットル／ｈ）と車速（Ｋｍ／ｈ）との関係は、図３に示すようなる。すなわち、エンジン回転数を上げれば、速度が速いがその分燃料消費が多くなり、エンジン回転数を下げれば、速度が遅くなるが、燃費がよくなる。また、エンジン回転数を下げることによって、燃料効率（燃料１リットル当りの走行距離）が向上して効率のよい運転が可能である。この際、例えば、建設機械（油圧ショベル）を使用して、平坦路を走行した場合、エンジン回転数をフルスロットル状態から低下させれば、車速は遅くなるが、燃費はそれ以上に削減でき、結果として、燃料効率が向上する。このため、モニタ画面２６に、燃費に関わる改善を促す操作として、例えば、「エンジン回転数を抑えた走行で、燃費節約」等が表示される。また、作業機４を使用して、土砂を掘削する作業を行う場合においても、エンジン４０（図９参照）を最高回転数としたとき、作業スピード（作業速度）が早く出力最高となるが、燃料消費が多い。これに対して、エンジン４０の回転数を下げれば、作業スピード及び出力が減少するが、燃料消費も少ないと共に、燃費効率が向上する。この際、例えば、建設機械（油圧ショベル）を使用して、旋回角度α（図５参照）を９０度として土砂を５回積載した場合、エンジン回転数をフルスロットル状態から低下させれば作業量は低下するが、燃費はそれ以上に削減でき、結果として燃料効率が向上する。このため、モニタ画面２６に、燃費に関わる改善を促す操作として、例えば、「エンジン回転数を抑えた運転で、燃費節約」等が表示される。さらに、エンジン回転数（ｒｐｍ）と燃費（リットル／ｈ）と燃費効率（ｔｏｎ／リットル）との関係は、図４に示すようになる。すなわち、エンジン回転数を低下させれば、燃費が減少すると共に、燃費効率が向上する。このため、モニタ画面２６に、燃費に関わる改善を促す操作として、例えば、「ハイアイドル回転数を下げることで、燃費は減少、燃費効率は向上」等が表示される。
【００３６】
また、図５に示すように、この建設機械（積込機）Ｓの近傍にダンプトラックＴを配置して、この建設機械Ｓにて土砂をダンプトラックＴに積載する作業においては、作業機４の旋回角度αによってサイクルタイム等が相違する。すなわち、図６に示すように、旋回角度αと、燃費（リットル／ｈ）と、サイクルタイム（秒）との関係から分るように、旋回角度αによって燃費は殆ど変化がないが、旋回角度αが減少すれば、サイクルタイムが減少し、燃費効率が向上する。この際、例えば、建設機械（油圧ショベル）を使用して、旋回角度αが９０度となる場合と旋回角度αが３０度となる場合とで比較すれば、３０度の場合が９０度の場合よりも、サイクルタイムが短縮し、燃費は増加するが、作業量がそれ以上に増加し、その結果として燃費効率が向上する。このため、モニタ画面２６に、燃費に関わる改善を促す作業工法として、例えば、「積込機に近い場所にダンプトラックをつけましょう」等が表示される。
【００３７】
さらに、掘削作業を行う場合、図８に示すように、低い位置より土砂をすくうような作業と、図７に示すように、高い位置の土砂をすくった後、低い位置の土砂をすくうような作業とでは、燃費等が相違する。すなわち、図８に示すような工法では、Ａの範囲の土砂をすくった後、Ｂの範囲の土砂をすくうものであるので、アーム６やブーム５の動き量が多くなって燃料消費が多くなると共に、サイクルタイムが長くなる。これに対して、図７に示すような工法では、まずＣの範囲の土砂をすくった後、Ｄの範囲の土砂をすくうものであるので、アーム６やブーム５の動き量が少なく、作業量及び燃費効率を向上させることができると共に、サイクルタイムを短縮できる。このため、モニタ画面２６に、燃費に関わる改善を促す作業工法として、例えば、「掘削位置を高くした運転で、燃費効率を向上」等が表示される。
【００３８】
ところで、一般的に、アイドリング中には走行も各種作業も行わないので、アイドリングは必要最小限に留めるべきである。このため、モニタ画面２６に、燃費に関わる改善を促す操作として、例えば、「アイドリングを停止しよう」等が表示される。さらに、作業機４は油圧にて作動するものであり、この油圧回路の油圧リリーフの頻度が多くなれば、消費燃料が多くなる。このため、モニタ画面２６に、燃費に関わる改善を促す操作として、例えば、「油圧リリーフ時無理なレバー操作を控えて燃費を節約」等が表示される。
【００３９】
上記のような各種の情報は、始業前であっても、終業後であってもよく、例えば、エンジン４０の始動時から暖気運転中での表示であったり、常時表示するようにしたり、さらには、作業現場に到着して、掘削作業等を行う前に表示するようにしたりすることができる。このように、上記のように構成された建設機械では、モニタ画面２６からの視覚にて、燃費に関わる改善を促す操作及び／又は燃費に関わる改善を促す作業工法等の情報を走行運転中や各種作業中にオペレータは知ることができるので、走行時や作業時（例えば、作業機を使用した掘削時等）において、燃費向上を図る運転や操作を行うように努力でき、省エネ化の達成に寄与することができる。また、このような情報の提供は、上記実施形態のように、この種の建設機械に従来から搭載されているモニタ装置２２のモニタ画面２６に表示するようにしても、このような既存のモニタ装置２２とは相違する情報提供用のモニタ装置を別途設け、この情報提供用の別置きのモニタ装置にて燃費に関わる改善を促す操作等の情報を表示するようにしてもよい。
【００４０】
ところで、この建設機械では、上記したように、作業機４等の動作をロックする機能を有するロックレバー２１を備えるものであり、この場合、ロックレバー２１がロック側へ操作されたことを検知して、アイドリング時の燃費に関わる改善を促す操作等の情報の提供を行うことができる。さらに、作業機レバー１９、２０をニュトラルとしたときには、このニュトラルであることを検知すると共に、ニュトラル時におけるアイドル回転数であるアイドリング時の時間を検知して、このニュトラル状態におけるアイドリング時間が所定時間以上となれば、アイドリング時の燃費に関わる改善を促す操作等の情報の提供を行うことができる。
【００４１】
この場合の建設機械の制御システムは、図９に示すように、油圧ポンプ３１として、第１ポンプ３１ａと、第２ポンプ３１ｂとを有している。また、コントローラとしてエンジンコントローラ３２とポンプコントローラ３３とを備える。この図９において、３４はガバナモータであり、３５は第１油圧ポンプ３１ａの斜板駆動装置であって、ポンプコントローラ３３からの指示にて駆動して、第１油圧ポンプ３１ａの斜板の傾斜角度を変更することができる。そして、第１油圧ポンプ３１ａにはコントロールバルブ３６を介してアクチュエータ(油圧アクチュエータ)３７が接続される。アクチュエータ３７としては、ブーム用シリンダ、アーム用シリンダ、バケット用シリンダ、旋回用油圧モータ、及び走行用油圧モータ等である。また、第２油圧ポンプ３１ｂには作業機レバー１９（２０）とロックレバー２１とが接続されている。この場合、燃料ダイヤル３８にてエンジンガバナの回転数をセットし、回転センサ３９にて検知したエンジン４０の実際の回転数から、エンジン４０の各出力点でのベストマッチングのトルクを油圧ポンプ１ａ、１ｂが吸収するようにコントロールする。
【００４２】
そして、ロックレバー２１にはＰＰＣロックスイッチ４１が接続され、このロックレバー２１がロック側へ操作されたときに、このスイッチ４１にてその操作が検知され、このスイッチ４１からバルブ（ソレノイドバルブ）４２に信号が送られ、これによって、作業機４の操作、上部旋回体３の旋回、及び下部走行体１の走行等の機能を停止させることができる。この際、エンジン４０はアイドル回転数となってアイドリング状態となる。すなわち、この制御システムの制御回路は、図１０に示すように、上記ＰＰＣロックスイッチ４１等にて構成される油圧検出器４５と、エンジン回転数検出器（回転センサ）３９と、燃料噴射量検出器４６と、作業量検出器４７と、これらの検出器４５・・からのデータが入力される制御手段４８等を備え、制御手段４８から表示手段（モニタ装置２２からなる情報提供手段）３０や油圧アクチュエータ３７に各種の指令が出力される。そのため、ロックレバー２１がロック側へ操作されたことを検知した場合、この検知に基づき、アイドリング時の燃費に関わる改善を促す操作等の情報の提供を行うようにしている。すなわち、モニタ画面２６に、燃費に関わる改善を促す操作として、例えば、「アイドリングを停止しよう」、「アイドリング時のエンジン回転数を減少させよう」等を表示するようにすることができる。このため、このようなアイドリング時等における燃費を節約することができ、省エネ化を確実に達成できる。なお、この制御システムでは、燃料噴射量検出器４６にて検出した燃料噴射量に基づいて、この建設機械の燃料消費量を算出することができる。さらに、作業量検出器４７にてバケット７の積込時の作業量等を検出することができる。例えば、積込量の作業量は、監視カメラ等でバケット７の積込量を検知し、（積込量×回数／時間）等で求めることができ、運搬時の作業量は、（積載重量×距離）等で求めることができる。
【００４３】
また、作業中においてオペレータが作業機レバー１９、２０がニュトラル（中立位置）とすれば、この制御システムにおいては、このことをＰＰＣ圧力にて検知することができる。そこで、この中立状態において、アイドル回転数となっているアイドリング時間が予め設定された所定時間以上となったときに、モニタ画面２６等に、燃費に関わる改善を促す操作として、例えば、「アイドリングを停止しよう」等が表示される。この場合、回転センサ３９にタイマー等のカウント手段が接続され、回転センサ３９にて検知されたエンジン回転数がアイドル回転数となって、このアイドル回転数が継続しているときに、このアイドル回転数の継続時間を計測することによって所定時間以上か否かを判断することができる。このように、作業機レバー１９、２０が中立位置（ニュトラル）になっているときに、アイドリング時間が所定時間以上となれば、燃費に関わる改善を促す操作等の情報の提供を受けることができる。これによって、燃料の無駄使いとなる長時間のアイドリングを防止して、省エネ化を達成できる。なお、アイドル回転数の所定時間としては任意に設定することができる。この場合、短過ぎれば、作業機レバー１９、２０を中立位置としてすぐにこのような情報の提供を受けることになるが、すぐに中立状態を解消するような場合には、このような情報の提供は無駄であり、逆に長過ぎれば、アイドリング時間が長くなって、燃費が悪くなる。このため、この所定時間としてはこれらを考慮して、情報の提供を受けて燃費に関わる改善を促す操作を行えば省エネに貢献できる時間に設定するのが好ましい。
【００４４】
他の実施の形態として、運転室１１に音声発生機（図示省略）を設け、この音声発生機からの音声表示にて上記情報を運転室１１内のオペレータに知らせるようにしてもよい。すなわち、運転室１１内のオペレータに聞こえる音声にて、上記各種の情報を発生させる。この際、この音声発生機の音声表示単独であっても、上記モニタ表示との併用であってもよい。音声表示であれば、オペレータは前方窓２３等からの前方確認状態のまま上記各情報を把握することができ、運転操作等がおろそかになるのを防止できる。しかしながら、音声表示では、作業現場の騒音等により、情報を聞き取り難い場合があり、このような場合にも、上記モニタ表示では情報を知ることができる。このため、音声表示とモニタ表示とを併用すれば、オペレータに情報を確実に知らせることができる。
【００４５】
また、別の実施の形態として、情報提供手段３０において、上記のような情報を表示するオン状態と、このような情報を表示しないオフ状態とに切換えることができるようにすることも可能である。すなわち、例えば、モニタ表示の場合、モニタ装置２２の押しボタン２７を操作することによって、切換えることができる。また、音声表示であっても、音声発生機に切換えスイッチ等を設けることによって、切換えることができる。このように、情報を表示するオン状態と、情報を表示しないオフ状態とに切換えることができれば、燃費向上を考慮しないときや燃費に関わる改善を促す操作等をオペレータが念頭においているとき等で上記情報を得る必要がないときには、情報提供手段をオフ状態とすることができる。このようなときは、情報の提供がモニタ表示や音声表示にて行われず、運転操作や作業機の操作に集中できる。また、燃費に関わる改善を促す操作を行いたい場合には、情報提供手段をオン状態とすれば、燃費に関わる改善を促すための情報をモニタ表示や音声表示等にて表示することができ、オペレータは、燃費向上を図る運転や操作を行うように努力することになる。
【００４６】
さらに別の実施の形態として、通信手段を設け、建設機械の外部、すなわち運転室１１以外にいるオペレータ（機械管理者等）から、運転室１１内のオペレータに上記情報（燃費に関わる改善を促す操作等の情報）を知らせるようにしてもよい。すなわち、機械管理者側に情報送信器を配置すると共に、建設機械の運転室１１側に上記情報送信器からのデータを受ける受信器（例えば、モニタ装置２２に設けた受信器）を配置する。そして、情報送信器から燃費に関わる改善を促す操作等の情報をデータとして受信器に送信し、受信器にて受けた情報を上記モニタ装置２２のモニタ画面２６上にモニタ表示したり、音声発生器にて音声表示したりするようにする。このような通信手段を設ければ、運転室１１以外にいるオペレータ（機械管理者等）から、運転室１１内のオペレータに燃費に関わる改善を促す操作及び／又は燃費に関わる改善を促す作業工法等を行うように促すことができるので、運転室１１内のオペレータがこのような操作（燃費向上のための操作）を行うことを念頭においた作業を行っていない場合等において、この運転室１１内のオペレータに燃費向上を図る操作を行うべきであると気付かせることができ、省エネ化を確実に達成することができる。また、外部からの送信にて情報をオペレータに知らせるので、この情報を運転室１１側に送信するタイミングを任意に設定できると共に、送信する情報の内容の変更も任意に行うことができる。このため、運転室１１内のオペレータが行っている作業または今から行おうとしている作業等に合致した情報をこのオペレータに知らせることができ、オペレータとしては燃費向上を図り易い。
【００４７】
以上にこの発明の具体的な実施の形態について説明したが、この発明は上記形態に限定されるものではなく、この発明の範囲内で種々変更して実施することができる。例えば、モニタ装置２２の位置としては、オペレータが運転席１３に座ってこの建設機械を走行させたり、作業機４を使用して作業したりした場合に、そのモニタ画面２６の観察が可能である位置にあるのが好ましいが、図１の位置に限るものではない。また、モニタ表示や音声表示する際、燃費に関わる改善を促す操作のみの情報であっても、燃費に関わる改善を促す作業工法のみの情報であっても、両方の情報であってもよい。さらに、モニタ表示等する場合の文言としては、上記実施の形態のようなスローガン的なものに限らず、「燃費向上」等の短文であってもよい。これは、単に「燃費」等が表示されるものであっても、オペレータは燃費向上を図る運転や操作を行うように努力する場合があるからである。また、モニタ表示する場合、上記実施の形態のように、文字のみの表示であってもよいが、この文字と同時に、上記情報を把握できるような図（絵）を表示してもよく、文字を省略してこのような図（絵）のみであってもよい。なお、建設機械Ｓとしては、油圧ショベルに限るものではなく、クレーン、破砕機等の種々のものが対象となる。
【図面の簡単な説明】
【００４８】
【図１】この発明の建設機械の実施形態を示す要部斜視図である。
【図２】上記建設機械の全体簡略図である。
【図３】エンジン回転数と車速と燃費との関係を示すグラフ図である。
【図４】エンジン回転数と燃費と燃費効率との関係を示すグラフ図である。
【図５】上記建設機械の作業状態を示す簡略平面図である。
【図６】上記図５に示す作業状態での燃費とサイクルタイムとの関係を示すグラフ図である。
【図７】上記建設機械の燃費向上を考慮しているときの掘削作業を示す簡略図である。
【図８】上記建設機械の燃費向上を考慮していないときの掘削作業を示す簡略図である。
【図９】上記建設機械の制御システムを示す簡略図である。
【図１０】上記建設機械の制御システムの簡略回路図である。
【符号の説明】
【００４９】
４・・作業機、１１・・運転室、１９、２０・・作業機レバー、２１・・ロックレバー、２６・・モニタ画面、３０・・情報提供手段、４０・・エンジン
【図１】
2005098073.tif 000003
【図２】
2005098073.tif 000004
【図３】
2005098073.tif 000005
【図４】
2005098073.tif 000006
【図５】
2005098073.tif 000007
【図６】
2005098073.tif 000008
【図７】
2005098073.tif 000009
【図８】
2005098073.tif 000010
【図９】
2005098073.tif 000011
【図１０】
2005098073.tif 000012